(57)【要約】【課題】防水性能を確保すると共に、外壁の表面において凹凸が設けられた複雑な部位であっても簡単な構成で施工性の良い建物の排水構造及び建物を得る。【解決手段】止水役物６０の一部を構成する役物６６が、上階側外壁パネル３０Ａの内壁部３４と対向する立壁部６６Ａ、６６Ｂと、上階側外壁パネル３０Ａの下端面７６Ａと対向する水平部６６Ｃ、６６Ｄと、を備えている。水平部６６Ｄの先端部及び水平部６６Ｆの側端部からは、差し込み片６６Ｇが垂下し、パラペット壁７８の中空部３８Ｂ内へ挿入されるようになっている。このため、上壁７６の中空部を流れる水、或いは縦目地５２、横目地５４において浸入した水が、役物６６の水平部６６Ｆに至ると、この水は当該水平部６６Ｆ上で横走りし、中空部３８Ｂ内へ排出される。このように、本実施形態によれば、防水性能を確保すると共に、複雑な部位であっても簡単な構成で施工性を向上させることができる。【選択図】図１
2014114658.tif 000002
【特許請求の範囲】
【請求項１】
外壁の一部を構成し、鉛直方向に沿って第１中空部が貫通する上階側外壁パネルと、
前記上階側外壁パネルの下側に配置され、当該上階側外壁パネルと共に前記外壁の一部を構成し、前記第１中空部と連通する第２中空部が鉛直方向に沿って貫通する下階側外壁パネルと、
当たり部及び隅部の少なくとも一方において、前記外壁の背面側に位置して前記上階側外壁パネルと前記下階側外壁パネルとの間に配置され、前記上階側外壁パネルの形状に合わせ当該上階側外壁パネルの背面及び下端面と直接又は止水部材を介して対向して配置され、鉛直方向の下端側が前記第２中空部内へ挿入される排水部材と、
を有する建物の排水構造。
【請求項２】
前記排水部材は、
前記上階側外壁パネルの背面と対向して配置される立壁部と、
前記立壁部に対して屈曲され、前記上階側外壁パネルの下端面と対向して配置される水平部と、
前記水平部の先端部から垂下され、前記第２中空部内へ挿入される差し込み片と、
を含んで構成されている請求項１に記載の建物の排水構造。
【請求項３】
バルコニやベランダにおいて、前記第１中空部内を流れる水は前記バルコニやベランダの一部を構成する床部に排出される請求項１又は請求項２に記載の建物の排水構造。
【請求項４】
最上階にペントハウスが設けられ、前記ペントハウスの外壁には縦目地のみが設けられ、当該ペントハウスの下部に前記排水部材が配設されている請求項１〜請求項３の何れか１項に記載の建物の排水構造。
【請求項５】
請求項１〜請求項４の何れか１項に記載の上階側外壁パネル及び下階側外壁パネルと、
前記上階側外壁パネルと前記下階側外壁パネルとの間に形成された横目地に配設され、前記上階側外壁パネルが備える第１中空部内を流れる水を前記下階側外壁パネルが備える第２中空部へ排出する請求項１〜請求項４の何れか１項に記載の排水部材と、
を有する建物。
【発明の詳細な説明】
【技術分野】
【０００１】
本発明は、建物の排水構造及び建物に関する。
【背景技術】
【０００２】
特許文献１には、縦張りにより上下に配置された押出成形セメント板間の横目地防水構造が開示されている。具体的には、水切り板に設けられた垂下板部の正面部（屋外側）に、非硬質の第１バックアップ材が貼り付けられ、当該第１バックアップ材の正面部に第２バックアップ材が当接している。この第２バックアップ材の正面側には、上下のセメント板間を塞ぐシーリング材が充填されている。
【０００３】
また、第１バックアップ部材には通水用の凹凸が長手方向に沿って形成されており、第２バックアップ部材との間で通水部が形成されるようになっている。このため、水切り板で受けた水は、当該通水部を通じて下方のセメント板に形成された中空部内へ案内される。
【先行技術文献】
【特許文献】
【０００４】
【特許文献１】特開２００３−３４３０２３号公報
【発明の概要】
【発明が解決しようとする課題】
【０００５】
しかしながら、この先行技術では、水平方向に沿って延在された部材同士を貼着させたり当接させたりするため、例えば、外壁の表面における出隅部や入隅部において、部材間の納まりが複雑になってしまい、施工性が悪い。
【０００６】
本発明は上記事実を考慮し、防水性能を確保すると共に、外壁の表面において凹凸が設けられた複雑な部位であっても簡単な構成で施工性の良い建物の排水構造及び建物を得ることが目的である。
【課題を解決するための手段】
【０００７】
請求項１記載の本発明に係る建物の排水構造は、外壁の一部を構成し、鉛直方向に沿って第１中空部が貫通する上階側外壁パネルと、前記上階側外壁パネルの下側に配置され、当該上階側外壁パネルと共に前記外壁の一部を構成し、前記第１中空部と連通する第２中空部が鉛直方向に沿って貫通する下階側外壁パネルと、当たり部及び隅部の少なくとも一方において、前記外壁の背面側に位置して前記上階側外壁パネルと前記下階側外壁パネルとの間に配置され、前記上階側外壁パネルの形状に合わせて当該上階側外壁パネルの背面及び下端面と直接又は止水部材を介して対向して配置され、鉛直方向の下端側が前記第２中空部内へ挿入される排水部材と、を有している。
【０００８】
請求項１記載の本発明に係る建物の排水構造では、外壁の一部を構成し、上下に配置された上階側外壁パネル及び下階側外壁パネルには、鉛直方向に沿って第１中空部、第２中空部がそれぞれ貫通しており、第１中空部と第２中空部とは互いに連通している。
【０００９】
ここで、当たり部及び隅部の少なくとも一方において、外壁の背面側には、上階側外壁パネルと下階側外壁パネルとの間に排水部材が配置されている。つまり、当該排水部材はいわゆる横目地に設けられている。また、排水部材は、上階側外壁パネルの形状に合わせ当該上階側外壁パネルの背面及び下端面と直接又は止水部材を介して対向して配置され、当該排水部材の鉛直方向の下端側が下階側外壁パネルに形成された第２中空部内へ挿入されるようになっている。
【００１０】
当たり部や隅部では、外壁に角部や隅部が設けられるため複雑な形状を成し、外壁の一般部と比較すると当該当たり部や隅部における部材間の納まりが複雑になってしまう。したがって、当該当たり部や隅部において、上階側外壁パネルの形状に合わせて当該上階側外壁パネルの背面及び下端面と直接又は止水部材を介して対向して配置された排水部材を用いることで、複雑な部位であっても部材間の納まりを簡素化することができる。
【００１１】
また、この排水部材の鉛直方向の下端側は、下階側外壁パネルに形成された第２中空部内へ挿入されるようになっている。このため、雨水などの浸入により、上階側外壁パネルの第１中空部内を流れる水は、下階側外壁パネルの第２中空部内側へ排水され、最終的に建物外へ排出される。つまり、排水部材を通じて建物の排水経路を確保することができる。
【００１２】
請求項２記載の本発明に係る建物の排水構造は、請求項１に記載の建物の排水構造において、前記排水部材は、前記上階側外壁パネルの背面と対向して配置される立壁部と、前記立壁部に対して屈曲され、前記上階側外壁パネルの下端面と対向して配置される水平部と、前記水平部の先端部から垂下され、前記第２中空部内へ挿入される差し込み片と、を含んで構成されている。
【００１３】
請求項２記載の本発明に係る建物の排水構造では、排水部材は、上階側外壁パネルの背面と対向して配置される立壁部と、上階側外壁パネルの下端面と対向して配置される水平部と、を備えており、水平部は立壁部に対して屈曲した状態で形成されている。この水平部の先端部からは、差し込み片が垂下しており、第２中空部内へ挿入されるようになっている。
【００１４】
一般的に、外壁の横目地及び縦目地はシーリング材によりシールされているが、当該縦目地及び横目地において、シーリング材のシール切れにより当該シーリング材の奥方（屋内側）へ雨水などが浸入した場合、縦目地、横目地において浸入した水が排水部材の水平部に至ると、この水は差し込み片を通じて第２中空部内へ排出される。
【００１５】
請求項３記載の本発明に係る建物の排水構造は、請求項１又は請求項２に記載の建物の排水構造において、バルコニやベランダにおいて、前記第１中空部内を流れる水は前記バルコニやベランダの一部を構成する床部に排出される。
【００１６】
請求項３記載の本発明に係る建物の排水構造では、バルコニやベランダでは、雨水などの浸入により上階側外壁パネルの第１中空部内を流れる水は、当該バルコニやベランダの一部を構成する床部に排出されるため、当該床部に設けられた排水管を通じて床部上の水を屋外側へ排水することができる。
【００１７】
請求項４記載の本発明に係る建物の排水構造は、請求項１〜請求項３の何れか１項に記載の建物の排水構造において、最上階にペントハウスが設けられ、前記ペントハウスの外壁には縦目地のみが設けられ、当該ペントハウスの下部に前記排水部材が配設されている。
【００１８】
請求項４記載の本発明に係る建物の排水構造では、ペントハウスの外壁には縦目地のみが設けられているため、排水部材は当該ペントハウスの下部に配設すれば良い。
【００１９】
請求項５記載の本発明に係る建物は、請求項１〜請求項４の何れか１項に記載の上階側外壁パネル及び下階側外壁パネルと、前記上階側外壁パネルと前記下階側外壁パネルとの間に形成された横目地に配設され、前記上階側外壁パネルが備える第１中空部内を流れる水を前記下階側外壁パネルが備える第２中空部へ排出する請求項１〜請求項４の何れか１項に記載の排水部材と、を有している。
【００２０】
請求項５記載の本発明に係る建物では、上階側外壁パネルと下階側外壁パネルとの間に形成された横目地に排水部材が配設されている。これにより、上階側外壁パネルが備える第１中空部内を流れる水を、当該排水部材を介して下階側外壁パネルが備える第２中空部へ排出するという建物の排水経路を確保することができる。
【発明の効果】
【００２１】
以上説明したように、請求項１記載の本発明に係る建物の排水構造は、防水性能を確保すると共に、外壁の表面において凹凸が設けられた複雑な部位であっても簡単な構成で施工性を向上させることができる、という優れた効果を有する。
【００２２】
請求項２記載の本発明に係る建物の排水構造は、簡単な構成で防水性能を向上させることができる、という優れた効果を有する。
【００２３】
請求項３記載の本発明に係る建物の排水構造は、バルコニやベランダの床部に設けられた配水管を通じて上階側外壁パネルの第１中空部内を流れる水を屋外側へ排出させることができる、という優れた効果を有する。
【００２４】
請求項４記載の本発明に係る建物の排水構造は、ペントハウスの外壁に横目地が設けられた場合と比較してコストダウンを図ることができる、という優れた効果を有する。
【００２５】
請求項５記載の本発明に係る建物は、建物の排水経路を確保することで、建物のメンテナンス費用を削減することができ、ユーザーの経済的負担を軽減することができる、という優れた効果を有する。
【図面の簡単な説明】
【００２６】
【図１】本実施の形態に係る建物の排水構造を構成する止水役物が壁当たり部に取り付けられた状態を示す分解斜視図である。
【図２】本実施の形態に係る建物の排水構造を構成する止水役物が壁当たり部に取り付けられる状態を示す分解斜視図である。
【図３】図１の３−３線に沿って切断された状態を示す拡大断面図である。
【図４】本実施の形態に係る建物の排水構造を構成する止水役物上の作用を説明するための斜視図である。
【図５】図面左側は、図６で示す５Ｌ−５Ｌ線に沿って切断された状態の建物における排水経路を説明する説明図であり、図面右側には、図６で示す５Ｒ−５Ｒ線に沿って切断された状態の建物における排水経路を説明する説明図である。
【図６】建物の一例を示す斜視図である。
【図７】押出し成形セメント板が用いられた外壁パネルを示す斜視断面図である。
【発明を実施するための形態】
【００２７】
以下、図面を用いて、本実施の形態に係る建物の排水構造について説明する。
【００２８】
図６に示されるように、例えば、この建物１０は、一階部分１２と、二階部分１４と、三階部分１６と、四階部分１８と、を含んで構成されている。二階部分１４には、片持ち構造とされたバルコニ２０や出窓２２（サッシ２３）が設けられており、三階部分１６には、ルーフバルコニ２４が設けられている。また、最上階となる四階部分１８には、ペントハウス２６が設けられており、この四階部分１８の周縁部にはパラペット２８が立設されている。つまり、この建物１０は、外壁１１の表面が凹凸状となっている。
【００２９】
この建物１０の外壁パネル３０には、押出し成形セメント板（ＥＣＰ）が用いられており、この建物１０では、階層毎に外壁パネル３０が区切られている。一般的に、図７に示されるように、押出し成形セメント板が用いられた外壁パネル３０は、屋外側に配置されて意匠面を形成する外壁部３２と、当該外壁部３２に対して平行に配置された内壁部３４と、を含んで構成されている。
【００３０】
外壁部３２と内壁部３４との間には、外壁部３２と内壁部３４とを垂直に繋ぐ複数の連結部３６が所定のピッチで設けられている。つまり、この外壁パネル３０は、その内部において所定のピッチで複数の中空部３８が高さ方向に沿って延在されている。この中空部３８は、上階側の外壁パネル（以下、「上階側外壁パネル」という）３０Ａの中空部３８Ａと下階側の外壁パネル（以下、「下階側外壁パネル」という）３０Ｂの中空部３８Ｂとが、建物高さ方向に連続して互いに連通するように配置されている。
【００３１】
ここで、図２に示されるように、後述する当たり部９２の１つとしてのパラペット２８の壁当たり部６２では、パラペット壁７８において、連結部３６における外壁部３２側には、隣接する中空部３８Ｂ同士を繋ぐスリット３６Ａ（図７では図示しない）が外壁部３２と平行に形成されている。
【００３２】
ところで、一般的に、パラペット２８や図６に示すルーフバルコニ２４の腰壁２４Ａ、バルコニ２０の腰壁２０Ａ（それぞれ手摺でも良い）等の上端部には、笠木２９（図３参照）が設けられており、当該笠木２９によってパラペット２８やバルコニ２０の腰壁２０Ａ、ルーフバルコニ２４の腰壁２４Ａの上端部は止水されている。
【００３３】
一方、図７に示されるように、上階側外壁パネル３０Ａと下階側外壁パネル３０Ｂとの間には、横目地５４が設けられており、同じ階における外壁パネル３０では、左右に隣接する外壁パネル３０との間に縦目地５２が設けられている。この縦目地５２及び横目地５４には、建物１０の防水性能を確保するため、不定形シール５６がそれぞれ充填されている。しかし、これらの縦目地５２や横目地５４において、いわゆるシール切れを起こした場合、当該縦目地５２や横目地５４を通じて屋内１５側へ雨水が浸入する可能性がある。
【００３４】
ここで、図５における図面左側は、図６で示す５Ｌ−５Ｌ線に沿って切断された状態の建物１０における排水経路を説明する説明図であり、図５における図面右側には、図６で示す５Ｒ−５Ｒ線に沿って切断された状態の建物１０における排水経路を説明する説明図である。
【００３５】
図５に示す建物１０において、領域Ａは縦目地５２（図７参照）しか設けられていないため、当該縦目地５２から雨水が浸入すると、雨水は縦目地５２の延在方向に沿って下方へ流れる。しかし、領域Ｂでは、当該領域Ｂにおける上端部において、上階側の外壁パネル３０との間に横目地５４（図７参照）が設けられている。このため、領域Ａにおいて縦目地５２から浸入した雨水は、領域Ｂにおける上端部において、横目地５４に沿って流れる（横走りする）。
【００３６】
一般的に、外壁パネル３０の一般部（出隅や入隅などが設けられていない部分）において、当該横目地５４では、止水役物（図示省略）が設けられており、この止水役物によって縦目地５２から浸入した雨水を受け、当該雨水を下階側の外壁パネル３０に形成された中空部３８（図７参照）に案内するようにしている。このため、領域Ｂでは、縦目地５２から浸入した雨水は、外壁パネル３０の中空部３８内を流れると共に、当該縦目地５２に沿って流れる。
【００３７】
（止水役物の構成）
ここで、本実施形態に係る排水部材としての止水役物６０の構成について、例えば、図１及び図２に示すパラペット２８の壁当たり部６２に適用された例を説明する。なお、この図２は図６における壁当たり部６２が拡大された状態の分解斜視図として示されており、図１は、壁当たり部６２に止水役物６０が取り付けられた状態が示されている。
【００３８】
図１及び図２に示されるように、パラペット２８の壁当たり部６２では、上階側外壁パネルに相当する上壁７６が出隅の状態で形成されており、当該止水役物６０は上壁７６の形状に合わせて、水平方向に沿って切断された断面形状がクランク形状となるように形成されている。
【００３９】
この止水役物６０は、例えば樹脂で形成されており、上壁７６の角部６４に対応する角部６５が形成された役物６６と、当該役物６６の両側に配置される役物６８、７０と、を含んで構成されている。役物６６と役物６８とはジョイントテープ７２によって接合されており、役物６６と役物７０とはジョイントテープ７４によって接合されている。
【００４０】
ここで、役物６６、６８は水平方向に沿って切断された断面形状が略Ｌ字状（但し、役物６６と役物６８とはＬ字の向きが逆である）を成しており、役物７０は水平方向に沿って切断された断面形状が略矩形状を成している。
【００４１】
役物６６は、上壁７６の背面としての内壁部３４と対向可能に設けられ、平面視でＬ字状を成して角部６５を形成する立壁部６６Ａ、６６Ｂを備えている。この立壁部６６Ａ、６６Ｂの下端部からは、上壁７６の下端面７６Ａと対向可能な水平部６６Ｃ、６６Ｄが略水平方向に沿ってそれぞれ延出している。なお、水平部６６Ｃ、６６Ｄは立壁部６６Ａ、６６Ｂから離間するにつれて僅かに下方へ傾斜する傾斜面である方が好ましく、役物６６、６８、７０にそれぞれ形成された他の水平部も同様である。
【００４２】
また、水平部６６Ｃの先端部には、下方へ向かって屈曲し、横目地５４の位置に対応する奥壁部６６Ｅが設けられている。この奥壁部６６Ｅの下端部からは、下階側外壁パネルに相当するパラペット壁７８の上端面７８Ａと対向する水平部６６Ｆが略水平方向に沿って延出している。さらに、水平部６６Ｄの先端部及び水平部６６Ｆの側端部には、下方へ向かって屈曲し、パラペット壁７８の中空部３８及びスリット３６Ａ内へ差し込まれる差し込み片６６Ｇが設けられている。
【００４３】
一方、役物６８は、上壁７６の背面としての内壁部３４と対向可能な立壁部６８Ａ及び外壁パネル３０の側端面３０Ａ１と対向可能な立壁部６８Ｂを備えている。立壁部６８Ａの下端部からは、上壁７６の下端面７６Ａと対向可能な水平部６８Ｃが略水平方向に沿って延出している。また、水平部６８Ｃの先端部には、下方へ向かって屈曲し、パラペット壁７８の中空部３８Ｂ及びスリット３６Ａ内へ差し込まれる差し込み片６８Ｄが設けられている。
【００４４】
さらに、役物７０は、上壁７６に隣接して配置される上壁８０の背面としての内壁部３４と対向可能な立壁部７０Ａを備えており、立壁部７０Ａの下端部からは、上壁８０の下端面８０Ａと対向可能な水平部７０Ｂが略水平方向に沿って延出している。
【００４５】
また、水平部７０Ｂの先端部には、下方へ向かって屈曲し、横目地５４の位置に対応する奥壁部７０Ｃが設けられている。この奥壁部７０Ｃの下端部からは、パラペット壁７８の屋内側に配置され、当該パラペット壁７８と平行に配設されたパラペットフレーム８２の上端面８２Ａ及び下側の外壁パネル（下壁８４）の上端面８４Ａと対向可能な水平部７０Ｄが略水平方向に沿って延出している。
【００４６】
なお、水平部７０Ｄには、パラペットフレーム８２の壁面８２Ｂ及び下壁８４の壁面８４Ｂの位置に合わせて切欠き７０Ｄ１が形成されている（切り欠かれている）。また、役物７０の隣には、外壁１１において角部６４が設けられていない一般部１０８（図６参照）に使用される図示しない止水役物が設けられている。
【００４７】
ここで、止水役物６０の取り付け方法について説明する。
【００４８】
図１及び図２に示されるように、役物６８の差し込み片６８Ｄをパラペット壁７８の中空部３８及びスリット３６Ａ内へ差し込み、立壁部６８Ｂを外壁パネル３０の側端面３０Ａ１に貼り付ける。立壁部６８Ｂには予め接着剤が塗布されており（又は両面テープが貼着されており）、接着剤の表面に貼着されたテープ６９を剥がすことによって、当該立壁部６８Ｂが外壁パネル３０の側端面３０Ａ１に貼り付けられる。
【００４９】
また、役物７０の水平部７０Ｄをパラペットフレーム８２の上端面８２Ａ及び下壁８４の上端面８４Ａに対向させる。次に、切欠き７０Ｄ１をパラペットフレーム８２の壁面８２Ｂ及び下壁８４の壁面８４Ｂに位置合わせした状態で、当該水平部７０Ｄをパラペットフレーム８２の上端面８２Ａに貼り付ける。役物６８の立壁部６８Ｂ同様、水平部７０Ｄには予め接着剤が塗布されており、接着剤の表面に貼着されたテープ７１を剥がすことによって、当該水平部７０Ｄがパラペットフレーム８２の上端面８２Ａに貼り付けられる。
【００５０】
次に、役物６８と役物７０の間に役物６６を配置する。具体的には、役物６６の差し込み片６６Ｇをパラペット壁７８の中空部３８及びスリット３６Ａ内へ差し込んだ状態で、パラペット壁７８の上に当該役物６６を配置する。このとき、役物６６と役物６８及び役物６６と役物７０との間には隙間が設けられ、互いに重ならないようにする。そして、役物６６、６８、７０が所定の位置に配置された状態で、役物６６と役物６８との間をジョイントテープ７２で接合し、役物６６と役物７０との間をジョイントテープ７４で接合する。
【００５１】
次に、図１に示されるように、役物６６の立壁部６６Ａ及び役物７０の立壁部７０Ａには、止水部材としての長尺状の２次止水シート８６が貼り付けられる。また、止水役物６０において、横目地５４に対応する部分には、水平方向に沿って切断された断面形状がＬ字状を成す１次止水横目地バッカー８８が嵌め込まれている。
【００５２】
１次止水横目地バッカー８８における止水役物６０側は長手方向に沿って鋸歯状に形成されており、１次止水横目地バッカー８８の高さ方向に沿って雨水が流動可能とされている。また、図３に示されるように、１次止水横目地バッカー８８の屋外側には、不定形シール５６が充填されている。なお、縦目地５２についても横目地５４と同様である。
【００５３】
（止水役物の作用・効果）
次に、本実施形態に係る排水部材としての止水役物６０の作用・効果について説明する。
【００５４】
図７に示されるように、外壁１１の一部を構成し、上下に配置された上階側外壁パネル３０Ａ及び下階側外壁パネル３０Ｂには、鉛直方向に沿って中空部３８Ａ、中空部３８Ｂがそれぞれ貫通しており、中空部３８Ａと中空部３８Ｂとは互いに連通している。
【００５５】
ここで、図１及び図２に示されるように、パラペット壁７８の壁当たり部６２において、上階側外壁パネル３０Ａと下階側外壁パネル３０Ｂとの間に設けられる横目地５４の奥方には、止水役物６０が設けられている。
【００５６】
壁当たり部６２では、外壁１１に角部６４が設けられるため、外壁１１において角部６４が設けられていない一般部１０８と比較すると、部材間の納まりが複雑になってしまう。したがって、壁当たり部６２において、図１及び図２に示されるように、上壁７６の背面側に当該上壁７６の形状に合わせて形成された止水役物６０を用いることで、外壁１１が複雑な形状であっても部材間の納まりを簡素化することができる。
【００５７】
また、図１及び図２に示されるように、この止水役物６０は、上階側外壁パネル３０Ａに相当する上壁７６の形状に合わせて当該上壁７６の背面としての内壁部３４及び下端面７６Ａと対向可能に形成されており、当該止水役物６０の鉛直方向の下端部に位置する差し込み片６８Ｄ、６６Ｇが下階側外壁パネル３０Ｂに相当する形成された中空部３８Ｂ及びスリット３６Ａ内へ挿入されるようになっている。
【００５８】
このため、雨水などの浸入により、上階側外壁パネル３０Ａの中空部３８内を流れる水が止水役物６０に到達すると、下階側外壁パネル３０Ｂの中空部３８Ｂ内側へ排水され、最終的に建物１０外へ排出されることになる。つまり、建物１０における排水経路（図５において矢印で示す）を確保することができる。
【００５９】
止水役物６０について、さらに具体的に説明すると、止水役物６０の一部を構成する役物６６が、上階側外壁パネル３０Ａの内壁部３４と対向する立壁部６６Ａ、６６Ｂと、上階側外壁パネル３０Ａの下端面７６Ａと対向する水平部６６Ｃ、６６Ｄと、を備えている。水平部６６Ｃ、６６Ｄは、立壁部６６Ａ、６６Ｂに対してそれぞれ屈曲された状態で形成されており、当該水平部６６Ｄの先端部及び水平部６６Ｆの側端部からは、差し込み片６６Ｇが垂下し、パラペット壁７８の中空部３８Ｂ内へ挿入されるようになっている。
【００６０】
このため、上壁７６の中空部３８Ａを流れる水、或いは縦目地５２、横目地５４において浸入した水が、役物６６の水平部６６Ｆに至ると、図４に示されるように、この水は当該水平部６６Ｆ上で横走りする。これにより、この水は差し込み片６６Ｇを通じて中空部３８Ｂ内へ排出され（矢印Ａ）、或いはパラペットフレーム８２の壁面８２Ｂ側へ排出される（矢印Ｂ）。また、役物６６の水平部６６Ｄに到達した水は、差し込み片６６Ｇを通じて中空部３８Ｂ内へ排出される（矢印Ｃ）。
【００６１】
ここで、水平部６６Ｃ、６６Ｄに対して立壁部６６Ａ、６６Ｂはそれぞれ屈曲し、上階側外壁パネル３０Ａの内壁部３４と対向するように形成されている。これにより、縦目地５２、横目地５４において浸入した水が、立壁部６６Ａ、６６Ｂの先端部を乗り越えないようにしている。このような構成により、本実施形態における止水役物６０によれば、簡単な構成で防水性能を向上させることができる。これにより、建物１０のメンテナンス費用を削減することができ、ユーザーの経済的負担を軽減することができる。
【００６２】
ところで、図５に示されるように、バルコニ２０において、雨水などの浸入により上壁７６の中空部３８Ａを流れる水は、当該バルコニ２０における床部２０Ｂに排出されるため、当該床部２０Ｂに設けられた排水管（図示省略）を通じて床部２０Ｂ上の水を屋外１７側へ排水することができる。
【００６３】
また、この建物１０では、最上階にペントハウス２６が設けられているが、当該ペントハウス２６の外壁１１には縦目地５２のみが設けられている。このため、図１に示す止水役物６０はペントハウス２６の下部に配設すれば良いので、図示はしないが、ペントハウス２６の外壁１１に横目地が設けられた場合と比較してコストダウンを図ることができる。
【００６４】
（その他の実施形態）
【００６５】
本実施形態では、図６に示されるように、当たり部９２としてパラペット２８の壁当たり部６２について説明したが、当該壁当たり部６２だけでなく、腰壁当たり部９４、図示しないベランダの壁当たり部や隅部１００（出隅部９６や入隅部９８等）においても適用可能である。
【００６６】
また、本実施形態では、図１で示す止水役物６０は樹脂で形成されているが、金属又はゴムで形成されても良く、また、これらの材質が複合されたものでも良い。また、縦目地５２及び横目地５４において、外壁パネル３０の屋外１７側には、不定形シール５６が充填されているが、定形シールが用いられても良い。
【００６７】
以上、本発明の一実施形態について説明したが、本発明はこうした実施形態に限定されるものでなく、一実施形態及び各種の変形例を適宜組み合わせて用いても良いし、本発明の要旨を逸脱しない範囲において、種々なる態様で実施し得ることは勿論である。
【符号の説明】
【００６８】
１０      建物
１１      外壁
２０      バルコニ
２０Ａ    腰壁
２０Ｂ    床部
２２      出窓
２３      サッシ
２４      ルーフバルコニ
２４Ａ    腰壁
２６      ペントハウス
２８      パラペット
３０Ｂ    下階側外壁パネル
３０      外壁パネル
３０Ａ    上階側外壁パネル
３４      内壁部（背面）
３８      中空部
３８Ａ    中空部（第１中空部）
３８Ｂ    中空部（第２中空部）
６０      止水役物（排水部材）
６２      壁当たり部（当たり部）
６６      役物（排水部材）
６６Ａ    立壁部（排水部材）
６６Ｂ    立壁部（排水部材）
６６Ｃ    水平部（排水部材）
６６Ｄ    水平部（排水部材）
６６Ｇ    差し込み片（排水部材）
６８      役物（排水部材）
６８Ａ    立壁部（排水部材）
６８Ｃ    水平部（排水部材）
６８Ｄ    差し込み片（排水部材）
７０      役物（排水部材）
７０Ａ    立壁部（排水部材）
７０Ｂ    水平部（排水部材）
７６      上壁（上階側外壁パネル）
７６Ａ    下端面
７８      パラペット壁（下階側外壁パネル）
８６      ２次止水シート（止水部材）
９２      当たり部
９４      腰壁当たり部（当たり部）
９６      出隅部（隅部）
９８      入隅部（隅部）
１００    隅部
【図１】
2014114658.tif 000003
【図２】
2014114658.tif 000004
【図３】
2014114658.tif 000005
【図４】
2014114658.tif 000006
【図５】
2014114658.tif 000007
【図６】
2014114658.tif 000008
【図７】
2014114658.tif 000009